(57)【要約】      （修正有）【課題】家庭使用サイズのティッシュを半分のサイズにして持ち歩くことができ、使用時には元の大きさで引き出すことができる携帯用ティッシュペーパー入れを提供する。【解決手段】横が家庭用ティッシュペーパーの箱の短辺の２倍よりやや長めの縦長な四角形の左辺２と右辺３を内側に折って袋状の封筒を作り、縦中央線６の中央部をティッシュ取出口７として残し、取出口７以外の中央線６と下端部５をテープ等で閉じる。上端部４から４〜５ｃｍ下を下方向内側に折り上端部４の開口部が下を向くようにし、さらに残った部分を上下２つ折りにして下端部５を上端部４開口部に入れ込んで止める（端部入れ込み式）。また、上端部４と下端部５の近辺に一対の吸着部（市販の面ファスナー）を設置し、横中央線に沿って全体を上下内側に折り合わせ、吸着部同志を固定する方法も可能である。【選択図】図２
0003185154.tif 000002
【実用新案登録請求の範囲】
【請求項１】
家庭使用サイズのティッシュペーパーを携帯するためのティッシュペーパー入れであって、長手方向に開口した１の端部と、同じく長手方向に閉口した１の端部と、ティッシュペーパーの取出口と、を有し、前記長手方向に閉口した１の端部を前記長手方向に開口した１の端部に挿入・固定して携帯することを特徴とする携帯用ティッシュペーパー入れ。
【請求項２】
家庭使用サイズのティッシュペーパーを携帯するためのティッシュペーパー入れであって、長手方向に閉口した２の端部と、ティッシュペーパーの取出口と、１組の吸着部と、を有し、前記１組の吸着部を互いに接着・固定して携帯することを特徴とする携帯用ティッシュペーパー入れ。
【請求項３】
素材が可塑性の樹脂材であることを特徴とする請求項１又は２記載の携帯用ティッシュペーパー入れ。
【請求項４】
素材が布であることを特徴とする請求項１又は２記載の携帯用ティッシュペーパー入れ。
【考案の詳細な説明】
【技術分野】
【０００１】
本考案は、家庭使用サイズのティッシュペーパーを携帯するための携帯用ティッシュペーパー入れに関する。
【背景技術】
【０００２】
外出時、とくに花粉飛散時期には、ティッシュペーパーの携帯は必須である。しかし、このような場合、小型のポケットティッシュを携帯するのが通常であり、使いやすい家庭用の箱入りティッシュを持ち歩くことはまれである。
【先行技術文献】
【特許文献】
【０００３】
【特許文献１】特開平９−４００３９号公報
【特許文献２】特開２００３−９５３５７号公報
【考案の概要】
【考案が解決しようとする課題】
【０００４】
外出時に携帯する小型のポケットティッシュは一袋の量が少ないうえ、幾重にも折り畳んであって、取り出してから広げる必要があるため、使いづらい。一方、取り出してすぐに使用できる便利な家庭使用サイズの箱入りティッシュは、そのままの大きさで携帯することは難しい。
【０００５】
上記特許文献１及び２には、外出時に家庭使用サイズのティシュを持ち歩くための携帯用ティッシュペーパー入れの発明が開示されているが、文献１の発明は、ファスナー等を使用するため、作成に手間がかかり、文献２の発明は、サイズを小さくして固定する工夫がされておらず、バッグの中で折り畳んだ状態を安定して保つことが困難である。
【０００６】
上述の課題に鑑み、本考案は、誰もが簡単に作成することができるティッシュペーパー入れであって、使いやすい家庭使用サイズのティッシュを半分のサイズにして持ち歩くことができ、使用時には元の大きさで引き出すことができる携帯用ティッシュペーパー入れを提供する。
【課題を解決するための手段】
【０００７】
横が家庭用ティッシュペーパーの箱の短辺の２倍よりやや長めの縦長な四角形の左辺と右辺を内側に折って袋状の封筒を作る。次に上記右辺と上記左辺が着接して形成された中央線の中央部１０〜１５センチメートルをティッシュ取出口として残し、前記中央部以外の前記中央線と下端部をテープ等で閉じる。ティッシュは上端部より適当な枚数を挿入し、使用するときには、前記取出口から引き出す。
【０００８】
最後に上述の方法により完成したティッシュペーパー入れを携帯用に折り畳み、固定する。折り畳み及び固定の方法には、端部入れ込み式と面ファスナー式がある。
【０００９】
請求項１の考案は、端部入れ込み式のティッシュペーパー入れである。この方法では、上端部から４〜５センチメートル下の横線に沿って前記上端部を下方向内側に折り上端部の開口部が下を向くようにしたうえ、さらに残った下の部分を上下２つ折りにして下端部を前記上端部の開口部に入れ込んで止める。この方法は、素材にビニールなどの樹脂材を使用した、使い捨てのティッシュペーパー入れに適する。
【００１０】
請求項２の考案は、面ファスナー式のティッシュペーパー入れである。この方法では、上端部と下端部の近辺に一対の吸着部（市販の面ファスナー）を設置し、上端部と下端部に平行な中央線に沿って全体を上下内側に折り合わせ、吸着部同志を接着させて固定する。この方法は、素材に布などを使用した、繰り返し使用するティッシュペーパー入れに適する。
【考案の効果】
【００１１】
外出時、とくに花粉飛散時期に常時使用している大きな家庭使用サイズのティッシュを約半分の大きさにして持ち歩くことができ、使用時には元の大きさで取り出すことができる。これにより、ポケットティッシュのように取り出してから広げる作業が必要なくなる。
【００１２】
常時ポケットティッシュを用意しておく必要もなくなる。また、バッグの中でポケットティッシュの袋が破けてばらばらになる心配もなくなる。
【００１３】
ティッシュ入れを２つ折りにして固定したうえ携帯することができるため、バッグの中で安定して、かさばらない。また、取出口を内側にして２つ折りするため、チリやごみの侵入を防ぎ、衛生的に持ち運ぶことができる。
【図面の簡単な説明】
【００１４】
【図１】請求項１の考案に係る、端部入れ込み式の携帯用ティッシュペーパー入れの斜視図である。
【図２】請求項１の考案に係る、端部入れ込み式の携帯用ティッシュペーパー入れの作成方法を示す平面図である。
【図３】請求項２の考案に係る、面ファスナー式の携帯用ティッシュペーパー入れ斜視図である。
【図４】請求項２の考案に係る、面ファスナー式の携帯用ティッシュペーパー入れの作成方法を示す平面図である。
【考案を実施するための形態】
【００１５】
以下、本考案の実施形態について図面を参照して説明する。
【００１６】
請求項１の考案は、端部入れ込み式の携帯用ティッシュペーパー入れについての考案である（図１）。本ティッシュペーパー入れは、ビニール等の材料を用い、折り畳んで開口部を閉じるだけで作成できることから、外出先で廃棄する使い捨て用のティッシュペーパー入れに適している。もちろん、布等の素材を用い、繰り返し使用できるようにしてもよい。
【００１７】
まず、図２に示すように、横が家庭用ティッシュペーパーの箱の短辺の２倍よりやや長めで、縦が家庭用ティッシュペーパーの長辺より４〜５センチメートルほど長めの四角形のビニール片又は布片１を用意し、四角形の左辺２から四分の一と、右辺３から四分の一を内側に折って袋状の封筒を作る（図２Ａ、Ｂ）。
【００１８】
つぎに、右辺２と左辺３が着接して形成された中央線６の中央部１０〜１５センチメートルをティッシュ取出口７として残し、取出口７以外の前記中央線６と下端部５を、ビニールの場合はテープ等により、また、布の場合には縫合により閉じる。この段階で、箱から取り出した適当数のティッシュペーパーを、開口している上端部４より挿入しておく（図２Ｂ）。
【００１９】
最後に、上端部４から４〜５センチメートルほど下を下方向に折り畳むことにより上端部４の開口部を下向にしたうえ、下半分を上方向に折りこむ形で下端部５を上端部４の開口部に入れ込んで固定する（図２Ｃ、Ｄ）。
【００２０】
上述の工程により、家庭使用サイズのティッシュは携帯時には半分ほどの大きさになる（図２Ｄ）。また、外出先で使用するときには、下端部４を上端部５の開口部から抜き、ティッシュペーパー入れを元の大きさに戻してからティッシュを取出口７より引き出すため、外出先においても、家庭で使用している時と変わらない大きさのティッシュを即時使用することができる。
【００２１】
請求項２の考案は、面ファスナー式の携帯用ティッシュペーパー入れについての考案である（図３）。本ティッシュペーパー入れは、固定のために市販の面ファスナーを使用するので、繰り返し使用するタイプの携帯用ティッシュペーパー入れに適している。
【００２２】
まず、図４に示すように、横が家庭用ティッシュペーパーの箱の短辺の２倍よりやや大きめで、縦が家庭用ティッシュペーパーの縦幅よりやや大きめの四角形のビニール片又は布片１を用意し、四角形の左辺２から四分の一と、右辺３から四分の一を内側に折って袋状の封筒を作る（図４Ａ、Ｂ）。
【００２３】
つぎに、左辺２と右辺３が着接して形成された中央線６の中央部１０〜１５センチメートルをティッシュ取出口７として残し、取出口７以外の前記中央線６と下端部を５、前述の端部入れ込み式の場合と同じように閉じ、上端部４の開口部からティッシュを挿入する（図４Ｂ）。
【００２４】
最後に、上端部４を閉じ、適当な大きさに切った市販の面ファスナー８を上端部４と下端部５の近辺に貼り付ける（図４Ｂ）。
【００２５】
携帯時には、全体の下半分を上側に折り、面ファスナー８の吸着部と被吸着部を合わせて、接着させる（図４Ｂ、Ｃ）。
【００２６】
携帯時の大きさ、及び使用時に得ることができる利便性は、前述の端部入れ込み式の場合と同様である。
【符号の説明】
【００２７】
ビニール片又は布片    １
左辺                  ２
右辺                  ３
上端部                ４
下端部                ５
中央線                ６
中央開口部（取出口）  ７
吸着部（面ファスナー）８
【図１】
0003185154.tif 000003
【図２】
0003185154.tif 000004
【図３】
0003185154.tif 000005
【図４】
0003185154.tif 000006